【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
被写体像に重ねて合焦領域を示す情報をファインダー上に表示する第１の表示制御手段と、
前記合焦領域を示す表示を表示手段に表示する第２の表示制御手段と、
を備えたことを特徴とする撮像装置。
【請求項２】
前記第２の表示制御手段は、前記被写体像を表示させずに前記合焦領域を示す表示を前記表示手段に表示することを特徴とする請求項１記載の撮像装置。
【請求項３】
前記第１の表示制御手段は、
前記被写体像上の合焦領域に前記合焦領域を示す情報を表示させ、
前記第２の表示制御手段は、
被写体像を表示させずに前記合焦領域を示す情報を表示させ、
前記第１の表示制御手段と前記第２の表示制御手段によって表示される合焦領域を示す情報の表示位置は、撮像される画角に対して同じ位置であることを特徴とする請求項２記載の撮像装置。
【請求項４】
前記第２の表示制御手段は、
前記合焦領域を示す情報の表示以外の領域の輝度を、前記合焦領域を示す情報の表示の輝度より下げることを特徴とする請求項１乃至３の何れかに記載の撮像装置。
【請求項５】
前記第２の表示制御手段は、
前記合焦領域を示す情報の表示の色、色の明るさ、色の濃さのうち少なくとも１つを該合焦領域の合焦評価値の値に応じて変化させることを特徴とする請求項１乃至４の何れかに記載の撮像装置。
【請求項６】
前記第２の表示制御手段は、
前記合焦領域を示す情報を表示する際、該合焦領域の合焦評価値の高い順に順位付けをして、該合焦領域を示す情報を表示させることを特徴とする請求項１乃至５の何れかに記載の撮像装置。
【請求項７】
前記第１の表示制御手段は、
複数のＡＦ枠を表示させるとともに、前記合焦領域となるＡＦ枠を識別表示させ、
前記第２の表示制御手段は、
前記第１の表示制御手段により表示された複数のＡＦ枠に対応するＡＦ枠を表示させるとともに、前記合焦領域となるＡＦ枠を識別表示させることを特徴とする請求項１記載の撮像装置。
【請求項８】
被写体に対してオートフォーカス動作を行うフォーカス制御手段を備え、
前記合焦領域は前記フォーカス制御手段によるオートフォーカス動作によって合焦した領域であることを特徴とする請求項１乃至７の何れかに記載の撮像装置。
【請求項９】
撮影準備を指示するための撮影準備指示手段を備え、
前記フォーカス制御手段は、
前記撮影準備指示手段によって撮影準備が指示されると、オートフォーカス動作を開始することを特徴とする請求項８記載の撮像装置。
【請求項１０】
撮影準備を指示するための撮影準備指示手段を備え、
前記第２の表示制御手段は、
前記撮影準備指示手段によって撮影準備が指示されると、前記表示手段の駆動を開始させて、表示を開始させることを特徴とする請求項１乃至９の何れかに記載の撮像装置。
【請求項１１】
撮影を指示するための撮影指示手段を備え、
前記第２の表示制御手段は、
前記撮影指示手段によって撮影が指示されると、前記表示手段の駆動を停止させて、表示を終了させることを特徴とする請求項１乃至１０の何れかに記載の撮像装置。
【請求項１２】
前記ファインダーの画面は、前記表示手段の画面より小さいことを特徴とする請求項１乃至１１の何れかに記載の撮像装置。
【請求項１３】
前記ファインダーは、光学ファインダーであることを特徴とする請求項１乃至１１の何れかに記載の撮像装置。
【請求項１４】
前記ファインダーは、電子ファインダーであり、
前記第１の表示制御手段は、
前記撮像手段により撮像されたスルー画像を表示させるとともに、合焦領域を示す情報をスルー画像に重ねて表示させることを特徴とする請求項１乃至１２の何れかに記載の撮像装置。
【請求項１５】
被写体を撮像する撮像手段を備えたコンピュータを、
被写体像に重ねて合焦領域を示す情報をファインダー上に表示する第１の表示制御手段、
前記合焦領域を示す表示を表示手段に行なわせる第２の表示制御手段、
として機能させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体を撮像する撮像手段と、被写体像に重ねて合焦領域を示す情報をファインダー上に表示する第１の表示制御手段と、前記合焦領域を示す表示を表示手段に行わせる第２の表示制御手段とを備えたことを特徴とする。
【手続補正３】
【補正対象書類名】明細書
【補正対象項目名】０００７
【補正方法】変更
【補正の内容】
【０００７】
また、例えば、請求項２に記載されているように、前記第２の表示制御手段は、前記被写体像を表示させずに前記合焦領域を示す表示を前記表示手段に表示するようにしてもよい。
また、例えば、請求項３に記載されているように、前記第１の表示制御手段は、前記被写体像上の合焦領域に前記合焦領域を示す情報を表示させ、前記第２の表示制御手段は、被写体像を表示させずに前記合焦領域を示す情報を表示させ、前記第１の表示制御手段と前記第２の表示制御手段によって表示される合焦領域を示す情報の表示位置は、撮像される画角に対して同じ位置であるようにしてもよい。
【手続補正４】
【補正対象書類名】明細書
【補正対象項目名】０００８
【補正方法】変更
【補正の内容】
【０００８】
また、例えば、請求項４に記載されているように、前記第２の表示制御手段は、前記合焦領域を示す情報の表示以外の領域の輝度を、前記合焦領域を示す情報の表示の輝度より下げるようにしても良い。
【手続補正５】
【補正対象書類名】明細書
【補正対象項目名】０００９
【補正方法】変更
【補正の内容】
【０００９】
また、例えば、請求項５に記載されているように、前記第２の表示制御手段は、前記合焦領域を示す情報の表示の色、色の明るさ、色の濃さのうち少なくとも１つを該合焦領域の合焦評価値の値に応じて変化させるようにしてもよい。
【手続補正６】
【補正対象書類名】明細書
【補正対象項目名】００１０
【補正方法】変更
【補正の内容】
【００１０】
また、例えば、請求項６に記載されているように、前記第２の表示制御手段は、前記合焦領域を示す情報を表示する際、該合焦領域の合焦評価値の高い順に順位付けをして、該合焦領域を示す情報を表示させるようにしてもよい。
【手続補正７】
【補正対象書類名】明細書
【補正対象項目名】００１１
【補正方法】変更
【補正の内容】
【００１１】
また、例えば、請求項７に記載されているように、前記第１の表示制御手段は、複数のＡＦ枠を表示させるとともに、前記合焦領域となるＡＦ枠を識別表示させ、前記第２の表示制御手段は、前記第１の表示制御手段により表示された複数のＡＦ枠に対応するＡＦ枠を表示させるとともに、前記合焦領域となるＡＦ枠を識別表示させるようにしてもよい。
【手続補正８】
【補正対象書類名】明細書
【補正対象項目名】００１２
【補正方法】変更
【補正の内容】
【００１２】
また、例えば、請求項８に記載されているように、撮影準備を指示するための撮影準備指示手段を備え、前記フォーカス制御手段は、前記撮影準備指示手段によって撮影準備が指示されると、オートフォーカス動作を開始するようにしてもよい。
【手続補正９】
【補正対象書類名】明細書
【補正対象項目名】００１３
【補正方法】変更
【補正の内容】
【００１３】
また、例えば、請求項９に記載されているように、被写体に対してオートフォーカス動作を行うフォーカス制御手段を備え、前記合焦領域は前記フォーカス制御手段によるオートフォーカス動作によって合焦した領域であるようにしてもよい。
【手続補正１０】
【補正対象書類名】明細書
【補正対象項目名】００１４
【補正方法】変更
【補正の内容】
【００１４】
また、例えば、請求項１０に記載されているように、撮影準備を指示するための撮影準備指示手段を備え、前記第２の表示制御手段は、前記撮影準備指示手段によって撮影準備が指示されると、前記表示手段の駆動を開始させて、表示を開始させるようにしてもよい。
【手続補正１１】
【補正対象書類名】明細書
【補正対象項目名】００１５
【補正方法】変更
【補正の内容】
【００１５】
また、例えば、請求項１１に記載されているように、撮影を指示するための撮影指示手段を備え、前記第２の表示制御手段は、前記撮影指示手段によって撮影が指示されると、前記表示手段の駆動を停止させて、表示を終了させるようにしてもよい。
【手続補正１２】
【補正対象書類名】明細書
【補正対象項目名】００１６
【補正方法】変更
【補正の内容】
【００１６】
また、例えば、請求項１２に記載されているように、前記ファインダーの画面は、前記表示手段の画面より小さいようにしてもよい。
【手続補正１３】
【補正対象書類名】明細書
【補正対象項目名】００１７
【補正方法】変更
【補正の内容】
【００１７】
また、例えば、請求項１３に記載されているように、前記ファインダーは、光学ファインダーであるようにしてもよい。
【手続補正１４】
【補正対象書類名】明細書
【補正対象項目名】００１８
【補正方法】変更
【補正の内容】
【００１８】
また、例えば、請求項１４に記載されているように、前記ファインダーは、電子ファインダーであり、前記第１の表示制御手段は、前記撮像手段により撮像されたスルー画像を表示させるとともに、合焦領域をスルー画像に重ねて表示させるようにしてもよい。
【手続補正１５】
【補正対象書類名】明細書
【補正対象項目名】００１９
【補正方法】変更
【補正の内容】
【００１９】
上記目的達成のため、請求項15記載の発明によるプログラムは、被写体を撮像する撮像手段を備えたコンピュータを、被写体像に重ねて合焦領域を示す情報をファインダー上に表示する第１の表示制御手段と、前記合焦領域を示す表示を表示手段に行なわせる第２の表示制御手段として機能させることを特徴とする